(57)【要約】【課題】  本発明の一つの目的は、手術の間において、強膜切開部をしっかりと閉じて保持するための簡易で安価なクランプを提供することである。【解決手段】  創傷用クランプ１０は、二つの実質的に同一な半体１２を有する。クランプ半体１２は、スプリングまたはエラストマーバンド１４を使用して一緒に付勢される。半体１２と一体化形成される突起部または針部２０は、クランプ１０が創傷部まわりの結膜および強膜組織上でしっかりと係合されることをもたらす。クランプ半体１２の互いの方への付勢は、創傷部のしっかりとしたシーリングを提供する。【選択図】      図１
2004209260.tif 000002
【特許請求の範囲】
【請求項１】
ａ）第一半体および第二半体を有する本体部と、
ｂ）前記第二半体に当接して前記第一半体を付勢するエラストマーバンドと、
ｃ）前記第一半体および前記第二半体の両方と協働する複数の突起部とを、
有する、創傷用クランプ。
【請求項２】
前記第一半体および前記第二半体の各々は溝部を有し、前記エラストマーバンドは前記溝部内に取り付けられる、請求項１に記載の創傷用クランプ。
【請求項３】
前記第一半体および前記第二半体の各々は、前記第一半体および前記第二半体が前記エラストマーバンドにより一緒に付勢されるときに開口部を形成する切り抜き部分を有する、請求項１に記載の創傷用クランプ。
【請求項４】
前記本体部は平滑性の優れた材料を含む、請求項１に記載の創傷用クランプ。
【請求項５】
前記本体部は発光材料を含む、請求項１に記載の創傷用クランプ。
【請求項６】
前記切り抜き部分は朝顔形に広げられる、請求項３に記載の創傷用クランプ。
【請求項７】
前記切り抜き部分は斜角がつけられる、請求項３に記載の創傷用クランプ。
【請求項８】
前記切り抜き部分は面取りされる、請求項３に記載の創傷用クランプ。
【請求項９】
前記第一半体および前記第二半体の各々は凹み部を有する、請求項１に記載の創傷用クランプ。
【請求項１０】
ａ）第一半体および第二半体を有する本体部であって、前記第一半体および前記第二半体の各々が溝部と切り抜き部分とを有する本体部と、
ｂ）前記溝部内に取り付けられるエラストマーバンドであって、前記第二半体に当接して前記第一半体を付勢するエラストマーバンドと、
ｃ）前記第一半体および前記第二半体の両方と協働する複数の突起部とを有する、創傷用クランプ。
【請求項１１】
ａ）第一半体および第二半体を有する本体部と、
ｂ）前記第二半体に当接して前記第一半体を付勢するスプリングと、
ｃ）前記第一半体および前記第二半体の両方と協働する複数の突起部とを有する、創傷用クランプ。
【請求項１２】
前記第一半体および前記第二半体の各々は、前記第一半体および前記第二半体が前記スプリングにより一緒に付勢されるときに開口部を形成する切り抜き部分を有する、請求項１１に記載の創傷用クランプ。
【請求項１３】
前記本体部は平滑性の優れた材料を含む、請求項１１に記載の創傷用クランプ。
【請求項１４】
前記本体部は発光材料を含む、請求項１１に記載の創傷用クランプ。
【発明の詳細な説明】
【技術分野】
【０００１】
本発明は、概して顕微手術分野、特に眼科顕微手術分野に関する。
【背景技術】
【０００２】
眼科顕微手術の間において、眼の中の繊細な組織を、摘出し、切開し、切断し、離層し、凝固し、またはさもなければ巧みに扱うことがしばしば必要となる。硝子体カッター、輸液用カニューレ、マイクロ鋏、マイクロ鉗子、照明レーザプローブおよび他の器具のような顕微手術用工具が通常使用される。これらの器具は、通常、一つ以上の強膜の外科的切開、強膜切開術により挿入され、種々の工具が、手術の異なる部分の間で使用される。これらの器具の挿入および除去の繰り返しは、強膜切開手術による硝子体液および液体の眼の外へ流出を可能とし、眼球の軟化、出血、網膜牽引および／または眼内への細菌の侵入の可能性を増し、治癒時間を増す。
【発明の開示】
【発明が解決しようとする課題】
【０００３】
それゆえ、手術の間において、強膜切開部をしっかりと閉じて保持するための、簡易で安価なクランプの必要性が存在する。
【課題を解決するための手段】
【０００４】
本発明は、二つの実質的に同一な半体を有する創傷用クランプを提供することにより従来技術を改良する。クランプ半体は、スプリングまたはエラストマーバンド（ゴム状弾性体バンド）を使用して一緒に付勢される。半体に一体化形成される突起部または針部は、クランプが、創傷部まわりの結膜および強膜組織上でしっかりと係合されることをもたらす。互いの方へのクランプ半体の付勢は、創傷部のしっかりとしたシーリングを提供する。
【０００５】
よって、本発明の一つの目的は、手術の間において、強膜切開部をしっかりと閉じて保持するための簡易で安価なクランプを提供することである。
【０００６】
本発明のもう一つの目的は、スプリングまたはエラストマーバンドを使用して一緒に付勢される二つのクランプ半体を有するクランプを提供することである。
【０００７】
本発明のもう一つの目的は、結膜移植手術が行われる場合に、結膜および強膜切開の整合を維持することである。
【０００８】
さらに、本発明のもう一つの目的は、手術上の創傷を通した器具の挿入を容易にすることである。
【０００９】
本発明のこれらの、および他の利点と目的とは、以下の詳細な説明および特許請求の範囲から明らかになる。
【発明を実施するための最良の形態】
【００１０】
図１および図２に最もよく示されている第一実施例においては、創傷用クランプ１０は、概して、エラストマーバンド１４により一緒に付勢される対称な半体１２で構成される本体部１１からなる。バンド１４は、概して、半体１２の溝部１６内に取り付けられる。図２に最もよく示されているように、半体１２の底部１８は、複数のフックまたは突起部２０を有する。半体１２は、熱可塑性材料のような任意の適当な材料から型成形または形成され、ポリテトラフルオロエチレン（ＴＥＦＬＯＮ（テフロン）商標登録）のような平滑性の優れた材料を含んでもよく、および／または、暗くされた室内でクランプ１０が目に見えることを助力するように発光材料を含んでもよい。半体１２の各々は、凹み部１５と、半体１２が一緒に付勢されるときに中央開口部２２を一緒に形成する切り抜き部分２１とを有する。開口部２２は、クランプ１０が手術部分に設置され、半体１２がバンド１４により合わせられるとき、（図示されていない）手術用工具が創傷内に挿入されることを許可する。また、切り抜き部分２１は、創傷内への手術用工具の挿入を助力するために、朝顔形に広げられるか、斜角がつけられるか、または面取りされてもよい。凹み部１５は、突起部２０を損傷しないように、保管、出荷または挿入の間において、複数のクランプ１０が一緒に組み重ねられることを可能にする。バンド１４は、シリコンラバーのような任意の適当なエラストマー材料から作られる。突起部２０は、ステンレス鋼のような任意の材料、ポリプロピレンまたは改変された手術用ステープル（ｓｕｒｇｉｃａｌ  ｓｔａｐｌｅｓ）のような縫合材料から作られ、型成形工程の間において半体１２内に一体化形成されるか、または、接着のような任意の適当な工程により半体１２に取り付けられる。
【００１１】
使用時において、クランプ１０の半体１２は、（図示されていない）プローブ、ランセットまたは他の適当な工具により離され、突起部２０が切開部のまわりの組織に接触するように外科的な切開部の上に置かれる。次に工具が除去され、バンド１４のエラストマーの性質は、半体１２が合わされることをもたらし、切開部のまわりの組織内に突起部２０を押し付け、閉じられる切開部を引き寄せ、クランプ１０が創傷部のまわりの組織上でしっかりと係合することをもたらす。手術用工具は、切開部を過剰に開くことなく、開口部２２を通して切開部内に挿入される。さらに、半体１２は、突起部２０が組織から取り除かれることなく、開口部２２を大きくするために僅かに離されるように広げられ、異物または僅かに大きい器具が創傷部から抜け出ることを可能にする。
【００１２】
本発明の第二実施例が図３および図４に最もよく示されており、クランプ１００はクランプ１０と同様の構造であり、本体部１１１は半体１１２を有し、半体１１２は、開口部１２２を形成する部分１２１と突起部１２０と凹み部１１５とを有する。バンド１４の代わりに、半体１１２は、任意の適当な熱可塑性材料または金属から作られるスプリング１３０を使用して一緒に付勢される。クランプ１００は、上述されたクランプ１０と本質的に同様の方法で操作される。
【００１３】
本明細書の記載は、例証および説明のためになされたものである。本発明の特許請求の範囲および精神に逸脱することなく、上述された発明に対して変形および変更がなされうることは当業者に明らかである。
【図面の簡単な説明】
【００１４】
【図１】本発明の創傷用クランプの第一実施例の頂部から見た斜視図である。
【図２】本発明の創傷用クランプの第一実施例の底部から見た斜視図である。
【図３】本発明の創傷用クランプの第二実施例の頂部から見た斜視図である。
【図４】本発明の創傷用クランプの第二実施例の底部から見た斜視図である。
【符号の説明】
【００１５】
１０…創傷用クランプ
１２…半体
１４…エラストマーバンド
２０…突起部
【図１】
2004209260.tif 000003
【図２】
2004209260.tif 000004
【図３】
2004209260.tif 000005
【図４】
2004209260.tif 000006